(57)【特許請求の範囲】
【請求項１】
第１のコンクリート及び第２のコンクリートの互いに離間して対向する小口面部分に形成された目地構造の構築方法であって、
前記第１のコンクリートを打設する第１の打設工程と、
前記第１の打設工程で打設された前記第１のコンクリートの前記小口面の一部に面接触する目地用部材を設ける目地用部材設置工程と、
前記目地用部材に小口面の一部が面接触するように前記第２のコンクリートを打設する第２の打設工程と、を有し、
前記目地用部材は、前記第１のコンクリートの前記小口面に面接触する第１の板部材と、前記第１の板部材に対し離間して対向するとともに前記第２のコンクリートの前記小口面に面接触する第２の板部材と、前記第１の板部材と前記第２の板部材との隙間に介在する空間保持材と、を含み、
前記目地用部材は、前記小口面の長手方向に延びる仮想境界線で二分される一方の領域のみに面接触しており、
前記第１の打設工程において、前記第１のコンクリートの内部に、前記小口面から他端側が突き出すように止水板の一端側を埋め込み、
前記目地用部材設置工程では、前記目地用部材を前記止水板の片面側のみに設け、
前記第２の打設工程において、前記第２のコンクリートの内部に前記止水板の前記他端側を埋め込む、目地構造の構築方法。
【請求項２】
前記空間保持材は、外部からの刺激を端緒としてその少なくとも一部が流れながら前記隙間外へ移動することができるものである、請求項１記載の目地構造の構築方法。
【請求項３】
前記第２の打設工程の後に、前記隙間から前記空間保持材を除去し、その後に前記第１の板部材及び前記第２の板部材を除去する除去工程を有する、請求項１又は２記載の目地構造の構築方法。
【請求項４】
前記目地用部材設置工程において、前記仮想境界線で二分される他方の領域に、当該目地構造の完成後に前記第１のコンクリートと前記第２のコンクリートとの間に挟まれるようにして残置される残置部材を前記第１のコンクリートの前記小口面に接触させて設ける、請求項１〜３のいずれか一項記載の目地構造の構築方法。
【請求項５】
コンクリート構造物の天井を対象とし、
前記目地用部材は、前記止水板の下方となる側に設けられる、請求項１〜４のいずれか一項記載の目地構造の構築方法。
【請求項６】
前記空間保持材は、流体が充填された袋体、又は、粉粒体を含む、請求項１〜５のいずれか一項記載の目地構造の構築方法。
【請求項７】
互いに離間して小口面同士が対向している第１のコンクリート及び第２のコンクリートと、
前記第１のコンクリートと前記第２のコンクリートとの間であって、前記小口面における前記小口面の長手方向に延びる仮想境界線で二分される一方の領域において互いに離間して対向するとともに前記第１のコンクリートの前記小口面及び前記第２のコンクリートの前記小口面にそれぞれ面接触する第１の板部材及び第２の板部材と、
前記第１の板部材と前記第２の板部材との隙間に介在する空間保持材と、
前記仮想境界線の位置において、前記第１のコンクリートの内部と前記第２のコンクリートの内部とにまたがって設けられた止水板と、を備える、目地構造。
【請求項８】
前記空間保持材は、外部からの刺激を端緒としてその少なくとも一部が流れながら前記隙間外へ移動することができるものである、請求項７記載の目地構造。
【請求項９】
コンクリート構造物の天井の一部であり、
前記第１の板部材、前記第２の板部材、及び前記空間保持材は、前記止水板の下方となる側に設けられている、請求項７又は８記載の目地構造。
【発明の詳細な説明】
【技術分野】
【０００１】
本発明は、目地構造の構築方法、及び、目地構造に関する。
【背景技術】
【０００２】
従来、コンクリート構造物の目地構造を形成するためにコンクリート間に挟み込む部材として、発泡スチロール板を合板で挟んだものが知られている（例えば特許文献１参照）。この部材は、発泡スチロールが圧縮部材として働くとともに合板が引張り部材として働くため、曲げ圧縮にも曲げ引張りにも抵抗しうるという利点を有している。
【先行技術文献】
【特許文献】
【０００３】
【特許文献１】実開平６−８３８４７号公報
【発明の概要】
【発明が解決しようとする課題】
【０００４】
しかしながら、当該部材を目地構造から除去する場面では、必ずしも容易に除去することができず、清掃するにも長時間を要しているのが実情である。
【０００５】
そこで本発明は、目地構造の構築のために用いた部材を容易に除去することができる目地構造の構築方法、及び、目地構造を提供することを目的とする。
【課題を解決するための手段】
【０００６】
本発明は、第１のコンクリート及び第２のコンクリートの互いに離間して対向する小口面部分に形成された目地構造の構築方法であって、第１のコンクリートを打設する第１の打設工程と、第１の打設工程で打設された第１のコンクリートの小口面の一部に面接触する目地用部材を設ける目地用部材設置工程と、目地用部材に小口面の一部が面接触するように第２のコンクリートを打設する第２の打設工程と、を有し、目地用部材は、第１のコンクリートの小口面に面接触する第１の板部材と、第１の板部材に対し離間して対向するとともに第２のコンクリートの小口面に面接触する第２の板部材と、第１の板部材と第２の板部材との隙間に介在する空間保持材と、を含み、目地用部材は、小口面の長手方向に延びる仮想境界線で二分される一方の領域のみに面接触している、目地構造の構築方法を提供する。
【０００７】
この構築方法では、目地用部材の一つとして、空間保持材を使用する。これによれば、目地用部材を除去する際にこれを容易に除去することができる。すなわち、目地構造の構築のために用いた部材を容易に除去することができる。
【０００８】
空間保持材は、外部からの刺激を端緒としてその少なくとも一部が流れながら上記隙間外へ移動することができるものであることが好ましい。これによれば、目地用部材を除去する際に、空間保持材に刺激を与えることによってこれを容易に除去することができる。
【０００９】
この構築方法では、第２の打設工程の後に、隙間から空間保持材を除去し、その後に第１の板部材及び第２の板部材を除去する除去工程を有することが好ましい。目地用部材の除去に際し、始めに除去が容易な空間保持材を除去することによって、第１の板部材及び第２の板部材の除去も容易となる。
【００１０】
また、目地用部材設置工程において、仮想境界線で二分される他方の領域に、当該目地構造の完成後に第１のコンクリートと第２のコンクリートとの間に挟まれるようにして残置される残置部材を第１のコンクリートの前記小口面に接触させて設けることが好ましい。これによれば、目地の空間が埋められて、目地構造が安定化する。
【００１１】
また、第１の打設工程において、第１のコンクリートの内部に、小口面から他端側が突き出すように止水板の一端側を埋め込み、目地用部材設置工程では、目地用部材を止水板の片面側のみに設け、第２の打設工程において、第２のコンクリートの内部に止水板の他端側を埋め込むことが好ましい。止水板が設けられていると、外部から目地構造を通じて水が浸入してくることを防止することができる。
【００１２】
本発明の構築方法は、コンクリート構造物の天井を対象とし、目地用部材は、止水板の下方となる側に設けられることが好ましい。従来は、十分に除去されていない目地用部材が天井から剥落する可能性が問題視されていたが、本発明によれば、目地構造から目地用部材を容易に除去することができるので、これを除去した後に供用すれば、天井から目地用部材が剥落する可能性を低減することができる。
【００１３】
空間保持材は、流体が充填された袋体、又は、粉粒体を含むことが好ましい。空間保持材がこれらのものであると、取り扱いが容易である。
【００１４】
また、本発明は、互いに離間して小口面同士が対向している第１のコンクリート及び第２のコンクリートと、第１のコンクリートと第２のコンクリートとの間であって、小口面における小口面の長手方向に延びる仮想境界線で二分される一方の領域において互いに離間して対向するとともに第１のコンクリートの小口面及び第２のコンクリートの小口面にそれぞれ面接触する第１の板部材及び第２の板部材と、第１の板部材と第２の板部材との隙間に介在する空間保持材と、を備える、目地構造を提供する。ここで空間保持材は、外部からの刺激を端緒としてその少なくとも一部が流れながら上記隙間外へ移動することができるものであることが好ましい。この目地構造では、上記と同様の理由から、目地構造の構築のために用いた部材（第１の板部材、第２の板部材、及び空間保持材）を容易に除去することができる。
【発明の効果】
【００１５】
本発明によれば、目地構造の構築のために用いた部材を容易に除去することができる目地構造の構築方法、及び、目地構造を提供することができる。
【図面の簡単な説明】
【００１６】
【図１】本発明の一実施形態の目地構造を示す断面図である。
【図２】図１の目地構造の構築方法を示す断面図である。
【図３】目地用部材を除去した後の目地構造を示す断面図である。
【図４】本発明の他の実施形態の目地構造を示す断面図である。
【発明を実施するための形態】
【００１７】
以下、本発明の好適な実施形態について、図面を参照しながら詳細に説明する。なお、各図において同一部分又は相当部分には同一符号を付し、重複する説明は省略する。
【００１８】
本明細書において「目地構造」とは、硬化した複数のコンクリート構造物において、互いに離間して対向する小口面部分に形成されている構造をいう。コンクリート構造物間の空間には、コンクリート以外の部材が詰まっている状態でもよく、コンクリートの厚さ方向の一部が空洞であってもよい。
【００１９】
本発明の目地構造の構築方法は、コンクリート構造物であればあらゆる物を対象として実施することができるが、ここでは、ボックスカルバートの天井を例として説明する。なお、ボックスカルバートとは、地中に埋設されて道路や水路等として供用される箱形のコンクリート構造物をいう。
【００２０】
（目地構造）
図１には、スラブパネル２上に打設された天井コンクリートが示されている。目地構造１Ａは、天井コンクリートの打設単位の境界部分であり、第１のコンクリート３ａと、目地用部材４及び残置部材５を第１のコンクリート３ａとの間に挟むように打設された第２のコンクリート３ｂと、第１のコンクリート３ａの内部と第２のコンクリート３ｂの内部とにまたがって設けられた止水板とを備えている。
【００２１】
第１のコンクリート３ａ及び第２のコンクリート３ｂは、その小口面１３ａ，１３ｂ同士が対向している。小口面１３ａ，１３ｂ間の距離は、例えば２０ｍｍである。なお、小口面１３ａ，１３ｂのスラブパネル２側の端には、打設時に面取りのために配置された面木１０が残されている。
【００２２】
目地用部材４は、小口面１３ａ，１３ｂの全面に亘って設けられているのではなく、小口面１３ａ，１３ｂのうち、小口面１３ａ，１３ｂの長手方向（図示奥行き方向）に延びる仮想境界線で二分される一方の領域、換言すれば、下端の端から厚さ方向内部に向う所定の幅（高さ）を有して厚さ方向に垂直な方向（図示奥行き方向）に広がる領域において設けられている。
【００２３】
目地用部材４は、第１のコンクリート３ａの小口面１３ａに面接触する長尺の第１の板部材６ａと、第１の板部材６ａと離間して対向するとともに第２のコンクリート３ｂの小口面１３ｂに面接触する長尺の第２の板部材６ｂと、第１の板部材６ａと第２の板部材６ｂとの隙間に介在する空間保持材７とを有している。
【００２４】
第１の板部材６ａ及び第２の板部材６ｂは、樹脂製の平板パネルであり、公知のパネルを使用することができる。厚さは、例えば２．５ｍｍである。
【００２５】
空間保持材７は、後述する目地構造の構築方法において、第２のコンクリートの打設時及び養生時に第２のコンクリート３ｂからの膨張圧力に耐えて、目地の空間を確保するための部材である。空間保持材７としては、外部からの刺激を端緒としてその少なくとも一部が流れながら第１の板部材６ａと第２の板部材６ｂとの隙間外へ移動することができるものを使用する。ここでは、空気が充填された樹脂製の袋体、すなわちエアーバッグが用いられている。なお、袋体に充填するものとしては、空気以外の気体、水等の液体のように、流体を適宜選択することができる。
【００２６】
止水板８は、水を透過させないゴム製の板であり、雨水や地下水等の水がボックスカルバート内に浸み出してこないようにするために設けられている。止水板８はその一端側が第１のコンクリート３ａの内部に埋め込まれており、その他端側が第２のコンクリート３ｂの内部に埋め込まれている。埋め込まれた両端部はいずれも断面視円形状に膨らんでおり、止水効果が高められている。また、止水板８のうち、第１のコンクリート３ａと第２のコンクリート３ｂとの橋渡し部分は、目地用部材４の上部に接触している。
【００２７】
残置部材５は、例えばアスファルト系の材料からなり、第１のコンクリート３ａと第２のコンクリート３ｂとの間の部分であって止水板８の上方部分に挟まれている。残置部材５の下端は止水板８の上面に接触している。残置部材５は、ボックスカルバートの供用後にも目地構造１Ａの一部として残される。
【００２８】
（目地構造の構築方法）
目地構造１Ａの構築方法について説明する。ボックスカルバートの天井を構築すべき場所に、スラブパネル２を水平方向に配置する。図２（ａ）に示されたとおり、スラブパネル２上に平板状の型枠９を立てて配置し、型枠９の所定の高さ位置において止水板８を水平となるように配置する。そして、型枠９一方側（図２（ａ）では左側）にコンクリート（第１のコンクリート）３ａを流す（第１の打設工程）。このとき、止水板８の一端側が第１のコンクリート３ａに埋め込まれ、他端側が第１のコンクリート３ａ外に突き出す恰好となる。また、第１のコンクリート３ａの面取りのために、第１のコンクリート３ａと型枠９が接する部分における第１のコンクリート３ａの厚さ方向の最下部及び最上部に、面木１０を配置しておく。
【００２９】
第１のコンクリート３ａの硬化後、型枠９を取り外し、止水板８の下方側に目地用部材４を設ける。すなわち、図２（ｂ）に示されたとおり、第１のコンクリート３ａのうち型枠が接していた部分（小口面１３ａ）は平面状となっており、ここに第１の板部材６ａを面接触するように配置し、続いて、空間保持材７及び第２の板部材６ｂをこの順に配置する（目地用部材設置工程）。第１の板部材６ａのうち第１のコンクリート３ａの小口面１３ａに接触する面には、剥離剤を塗布することが好ましい。
【００３０】
第１の板部材６ａと第２の板部材６ｂとは互いに平行となるように対向させて配置する。空間保持材７としてのエアーバッグの強度及び充填する空気の量は、次に打設する第２のコンクリート３ｂの膨張圧力に耐えられるように、適宜調整する。
【００３１】
止水板８の上方には、第１のコンクリート３ａの小口面１３ａ及び止水板８の表面に接するように残置部材５を配置する。ここで、残置部材５が接する小口面１３ａの領域は、第１のコンクリート３ａの小口面１３ａのうち、第１の板部材６ａが接している領域以外の領域である。残置部材５の厚さ（図示左右方向）は、目地構造１Ａの完成後の第１のコンクリート３ａと第２のコンクリート３ｂとの間の距離に等しくする。
【００３２】
次に、目地用部材４の第１のコンクリート３ａ側とは反対側に、第２の板部材６ｂ及び残置部材５と面接触するように、且つ、止水板８の他端側が埋め込まれるように、コンクリート（第２のコンクリート）３ｂを流す（第２の打設工程）。このとき、第２の板部材６ｂのうち第２のコンクリート３ｂに接触する面には、剥離剤を塗布することが好ましい。第２のコンクリート３ｂが硬化すると、図１に示された目地構造１Ａが完成する。
【００３３】
図１に示された目地構造１Ａは、更に目地用部材４を除去して図３に示された目地構造１Ｂとした後に供用される。目地用部材４を除去するには、スラブパネル２を取り外した後、第１の板部材６ａと第２の板部材６ｂとの隙間から空間保持材７を除去する。このとき、袋体であるエアーバッグに針を突刺して穴を開けると、充填されていた空気が漏れてエアーバッグがしぼみ、これに伴いエアーバッグが変形して小さくなるので、エアーバッグを当該隙間から取り出しやすくなる。エアーバッグを取り出した後、第１の板部材６ａ及び第２の板部材６ｂを除去する（除去工程）。こうして、図３に示された目地構造１Ｂが完成する。
【００３４】
上記構築方法では、目地用部材４の一つとして、外部からの刺激を端緒としてその少なくとも一部が流れながら第１の板部材６ａと第２の板部材６ｂとの隙間外へ移動することができる空間保持材７を使用しているので、目地用部材４を除去する際に、空間保持材７に刺激を与えることによってこれを容易に除去することができる。すなわち、目地構造１Ａの構築のために用いた部材を容易に除去することができる。そして、目地用部材４の除去として始めに除去が容易な空間保持材７を除去することができるので、第１の板部材６ａ及び第２の板部材６ｂの除去も容易となる。
【００３５】
また、上記構築方法では、目地構造の完成後に第１のコンクリート３ａと第２のコンクリート３ｂとの間に挟まれるようにして残置される残置部材５を接触させて設けているため、目地の空間が埋められて、目地構造１Ａ，１Ｂが安定化する。
【００３６】
また、上記構築方法では第１のコンクリート３ａと第２のコンクリート３ｂとの間を架け渡すように止水板が埋め込まれるので、外部から目地構造１Ａ，１Ｂを通じて水が浸入してくることを防止することができる。
【００３７】
また、目地構造１Ａでは、止水板８の下方に位置していた目地用部材４が除去されているため、供用後に天井から目地用部材が剥落する可能性がない。
【００３８】
以上、本発明の好適な実施形態について説明したが、本発明は上記実施形態に何ら限定されるものではない。例えば、上記実施形態では空間保持材が空気が充填されたエアーバッグである態様を示したが、空間保持材は粉粒体であってもよい。図４に示されたとおり、第１の板部材６ａ及び第２の板部材６ｂに対して第３の板部材６ｃを加え、これらを第３の板部材６ｃを底部とする箱形状とする。当該箱の中に粉粒体としての砂１１を充填する。この目地構造１Ｃでは、スラブパネル２を取り除いた後に、第３の板部材６ｃに穴を開けることによって砂１１を容易に除去することができる。なお、この態様において、砂１１は箱のなかに直接充填してもよいし、砂１１を袋体に充填したものを箱に入れてもよい。また、砂１１を袋体に充填した場合は、第３の板部材６ｃを備えない態様としてもよい。
【００３９】
また、空間保持材は、ゴム部材、バネ部材等の弾性体であってもよい。これらの場合であっても、目地構造からこれを容易に除去することができる。
【００４０】
また、上記実施形態では目地構造１Ａを構成する小口面１３ａ，１３ｂが平行となるように構成されているが、両小口面１３ａ，１３ｂがスラブパネル２の方向（すなわち、目地用部材４を引き抜く方向）に向けて広がる形状となっていてもよい。この場合、目地用部材４の除去が一層容易となる。
【符号の説明】
【００４１】
１Ａ，１Ｂ，１Ｃ…目地構造、３ａ…第１のコンクリート、３ｂ…第２のコンクリート、４…目地用部材、５…残置部材、６ａ…第１の板部材、６ｂ…第２の板部材、７…空間保持材、８…止水板、１１…砂（空間保持材）、１３ａ，１３ｂ…小口面。
【図１】
0006474325.tif 000002
【図２】
0006474325.tif 000003
【図３】
0006474325.tif 000004
【図４】
0006474325.tif 000005